(57)【要約】【課題】一人の作業者が継手を床板等の支持部材に容易かつ的確に、しかも速やかに取付けることができる継手の施工治具を提供する。【解決手段】施工治具１０は、パイプ１３が接続された継手１２を床板の貫通孔に挿入して床板に固定するためのものである。この施工治具１０は、床板の貫通孔に挿通される治具本体１１と、該治具本体１１の一端部に設けられ、継手１２に連結される雄ねじ部１７と、治具本体１１の他端部に設けられ、床板の貫通孔に挿通可能で、挿通後に床板に係止可能な係止部２０とを備えている。この係止部２０は、治具本体１１の他端部に形成された鉤部１９の先端部に設けられている。【選択図】図１
2014163488.tif 000002
【特許請求の範囲】
【請求項１】
パイプが接続された継手を支持部材の貫通孔に挿入して支持部材に固定するための施工治具であって、
前記支持部材の貫通孔に挿通される治具本体と、該治具本体の一端部に設けられ、継手に連結される連結部と、治具本体の他端部に設けられ、前記支持部材の貫通孔に挿通可能で、挿通後に支持部材に係止可能な係止部とを備えることを特徴とする継手の施工治具。
【請求項２】
前記連結部は、継手のねじに螺合される螺合部であることを特徴とする請求項１に記載の継手の施工治具。
【請求項３】
前記係止部は、治具本体の他端部に形成された鉤部の先端部に設けられていることを特徴とする請求項１又は請求項２に記載の継手の施工治具。
【請求項４】
前記係止部は、治具本体の他端部に形成された開閉可能部の先端部に設けられていることを特徴とする請求項１又は請求項２に記載の継手の施工治具。
【請求項５】
前記連結部には、継手と治具本体との間をシールするシール部材が装着され、パイプが接続された継手に治具本体が連結された状態で水圧検査が可能に構成されていることを特徴とする請求項１から請求項４のいずれか一項に記載の継手の施工治具。
【請求項６】
前記継手はエルボ継手又はチーズ継手であることを特徴とする請求項１から請求項５のいずれか一項に記載の継手の施工治具。
【発明の詳細な説明】
【技術分野】
【０００１】
本発明は、例えば給水系統や給湯系統において用いられる可撓性のパイプが接続された継手を床板の下から床板の孔に通し、床板の上で継手を床板に固定する作業を一人で行うための継手の施工治具に関する。
【背景技術】
【０００２】
この種の可撓性パイプが接続された継手を床板に固定する場合には、まず作業者が床板の下方に入って継手を把持し、その継手を床板の孔を通して床板上に置く。次に、その作業者は床板上に移動し、床板上に置かれた継手にフランジを取付けて、該フランジを床板に固定する。このような一人作業においては、作業者が床板上で作業するとき、継手を床板の孔から下へ落としてしまう場合がある。その場合には、作業者は再度床板の下方へ戻らなければならず、作業が煩雑になり、作業効率が低下する。
【０００３】
この種の施工治具としての引出治具が例えば特許文献１に開示されている。すなわち、引出治具は、給水給湯配管の配管施工をするためのものであって、細長い引出治具本体の一端部に管体の端部内面にねじ込み可能なテーパ雄ねじが設けられ、その雄ねじの近辺に、管体端部に前記テーパ雄ねじをねじ込むためのねじ込み用凸部が形成されたものである。
【０００４】
そして、管体端部に引出治具を取付けておき、床板施工時に床板の挿通孔に引出治具を挿通し、床板施工後に引出治具を引き出して管体端部を継手に接合し、その継手を押し下げて床板面に固定するようになっている。
【先行技術文献】
【特許文献】
【０００５】
【特許文献１】特開２００６−１７７５３４号公報
【発明の概要】
【発明が解決しようとする課題】
【０００６】
前記特許文献１に記載されている従来構成においては、引出治具本体は床板の挿通孔よりも細く形成され、また挿通孔の下方における管体の立ち上がり部での管体の自重と、管体の可撓性に基づく曲げ力とにより、引出治具に下方への引き下げ力が働く。このため、床板施工時に床板の挿通孔に引出治具を床板下方から挿通し、床板施工後に引出治具を床板上で引き出そうとしたとき、引出治具が床板の挿通孔から下へ落ちるおそれがある。さらに、作業者が床板上で引出治具を一旦把持した後、手を緩めたり、手を滑らせたりすると引出治具は床板の挿通孔から下方へ引き込まれてしまう。このような場合、作業者は再度床板の下方へ戻らなければならず、作業が煩雑になるとともに、作業効率が低下する。
【０００７】
そこで本発明の目的とするところは、一人の作業者が継手を床板等の支持部材に容易かつ的確に、しかも速やかに取付けることができる継手の施工治具を提供することにある。
【課題を解決するための手段】
【０００８】
上記の目的を達成するために、請求項１に係る発明の継手の施工治具は、パイプが接続された継手を支持部材の貫通孔に挿入して支持部材に固定するための施工治具であって、前記支持部材の貫通孔に挿通される治具本体と、該治具本体の一端部に設けられ、継手に連結される連結部と、治具本体の他端部に設けられ、前記支持部材の貫通孔に挿通可能で、挿通後に支持部材に係止可能な係止部とを備えることを特徴とする。
【０００９】
請求項２に記載の発明の継手の施工治具は、請求項１に係る発明において、前記連結部は、継手のねじに螺合される螺合部であることを特徴とする。
請求項３に記載の発明の継手の施工治具は、請求項１又は請求項２に係る発明において、前記係止部は、治具本体の他端部に形成された鉤部の先端部に設けられていることを特徴とする。
【００１０】
請求項４に記載の発明の継手の施工治具は、請求項１又は請求項２に係る発明において、前記係止部は、治具本体の他端部に形成された開閉可能部の先端部に設けられていることを特徴とする。
【００１１】
請求項５に記載の発明の継手の施工治具は、請求項１から請求項４のいずれか一項に係る発明において、前記連結部には、継手と治具本体との間をシールするシール部材が装着され、パイプが接続された継手に治具本体が連結された状態で水圧検査が可能に構成されていることを特徴とする。
【００１２】
請求項６に記載の発明の継手の施工治具は、請求項１から請求項５のいずれか一項に係る発明において、前記継手はエルボ継手又はチーズ継手であることを特徴とする。
【発明の効果】
【００１３】
本発明によれば、次のような効果を発揮することができる。
本発明の継手の施工治具は、支持部材の貫通孔に挿通される治具本体と、該治具本体の一端部に設けられ、継手に連結される連結部と、治具本体の他端部に設けられ、前記支持部材の貫通孔に挿通可能で、挿通後に支持部材に係止可能な係止部とを備えている。そして、パイプが接続された継手を支持部材に取付ける場合には、治具本体の連結部を継手に連結し、治具本体を支持部材の貫通孔に挿通した後、治具本体の係止部を支持部材に係止させることができる。
【００１４】
このため、パイプの自重、可撓性等の原因によって治具本体に引き戻す力が作用しても、治具本体が支持部材の貫通孔から落ちて元の状態へ戻ることが抑制される。その後、作業者は支持部材上へ移動し、そこで継手を支持部材に取付けることができる。従って、一人の作業者は、パイプが接続された継手を支持部材に取付ける作業を円滑に進めることができる。
【００１５】
よって、本発明の継手の施工治具によれば、一人の作業者が継手を床板等の支持部材に容易かつ的確に、しかも速やかに取付けることができるという効果を奏する。
【図面の簡単な説明】
【００１６】
【図１】本発明の第１実施形態における継手の施工治具を示し、（ａ）は施工治具を示す斜視図及び（ｂ）はパイプが接続された継手に連結された施工治具を示す斜視図。
【図２】施工治具が連結された継手を示す断面図。
【図３】固定用リングを示す斜視図。
【図４】締付ナットを示す斜視図。
【図５】（ａ）〜（ｅ）は、施工治具の作用を示す図であって、（ａ）は床板の下方でパイプの接続された継手が連結された施工治具を示す斜視図、（ｂ）は施工治具本体を床板の貫通孔に挿通し、係止部を床板上に係止した状態を示す斜視図、（ｃ）は施工治具本体に気密用リング及び固定用リングを嵌挿した状態を示す斜視図、（ｄ）は施工治具本体に締付ナットを嵌挿した状態を示す斜視図及び（ｅ）は固定用リングの挿通孔にビスを挿通して施工治具本体を床板に固定する状態を示す斜視図。
【図６】第２実施形態の施工治具を示す図であって、（ａ）は施工治具の正面図及び（ｂ）は施工治具の側面図。
【図７】（ａ）〜（ｆ）は、施工治具の作用を示す図であって、（ａ）は床板の下方でパイプの接続された継手が連結された施工治具を示す説明図、（ｂ）は施工治具本体を床板の貫通孔に挿通する状態を示す説明図、（ｃ）は施工治具本体を床板の貫通孔に挿通した後、係止部を床板上に係止した状態を示す説明図、（ｄ）は施工治具本体に気密用リング及び固定用リングを嵌挿した状態を示す説明図、（ｅ）は施工治具本体に締付ナットを嵌挿した状態を示す説明図及び（ｆ）は固定用リングの挿通孔にビスを挿通して施工治具本体を床板に固定する状態を示す説明図。
【図８】第３実施形態の施工治具が連結されるエルボ継手を示す断面図。
【図９】（ａ）〜（ｆ）は、施工治具の作用を示す図であって、（ａ）は床板の下方でエルボ継手の接続された継手が連結された施工治具を示す説明図、（ｂ）は施工治具本体を床板の貫通孔に挿通する状態を示す説明図、（ｃ）は施工治具本体を床板の貫通孔に挿通した後、係止部を床板の上面に係止した状態を示す説明図、（ｄ）は施工治具本体に気密用リング及び固定用リングを嵌挿した状態を示す説明図、（ｅ）は施工治具本体に締付ナットを嵌挿した状態を示す説明図及び（ｆ）は固定用リングの挿通孔にビスを挿通して施工治具本体を床板に固定した状態を示す説明図。
【発明を実施するための形態】
【００１７】
（第１実施形態）
以下、本発明を具体化した第１実施形態を図１〜図５に従って詳細に説明する。
図１（ａ），（ｂ）及び図２に示すように、第１実施形態の継手１２の施工治具１０は、可撓性のパイプ１３が接続された継手１２を支持部材としての床板１４の貫通孔１５に挿入して床板１４に取付けるためのものである。この施工治具１０の治具本体１１は、合成樹脂により先端側ほど幅狭となる板状に形成されるとともに、その両側面には複数の肉抜き部１１ａが凹設されている。該治具本体１１の基端部には、継手１２の雌ねじ部１６に連結される連結部としての雄ねじ部１７がフランジ１８を介して突設されている。
【００１８】
一方、治具本体１１の先端部には、床板１４の貫通孔１５に挿通可能で、正面略逆Ｕ字状に形成された鉤部１９が設けられ、その先端部が係止部２０となっている。この係止部２０は、鉤部１９が床板１４の貫通孔１５に挿通された後に床板１４面に当って係止され、施工治具１０が床板１４に保持されるようになっている。
【００１９】
前記治具本体１１の基端側には、ドライバー等の工具が挿通されて取付けられる工具取付部としての工具取付孔２１が設けられている。そして、工具取付孔２１に挿通されて取付けられた図示しない工具を用い、施工治具１０の雄ねじ部１７を継手１２の雌ねじ部１６に螺合、締付けしやすくなっている。
【００２０】
前記施工治具１０は、ポリプロピレン、ＡＢＳ樹脂等の合成樹脂で形成されるが、ステンレス鋼等の金属で形成されていてもよい。また、可撓性のパイプ１３は、合成樹脂として架橋ポリエチレン、ポリブテン等のポリオレフィンで形成されている。
【００２１】
前記雄ねじ部１７外周のフランジ１８側にはゴム等の弾性材料で形成された環状のシール部材２２が装着され、継手１２の雌ねじ部１６と施工治具１０の雄ねじ部１７との間のシール性（水密性）が保たれるようになっている。従って、パイプ１３が接続された継手１２に治具本体１１が連結された状態で水圧検査が可能になっている。この水圧検査では、パイプ１３内の水圧を０．７５〜１．７５ＭＰａに保持した状態で、パイプ１３や接続部分における水漏れの有無が検査される。
【００２２】
図２及び図３に示すように、前記継手１２を床板１４に固定するための固定用リング２３は、その内周面に雌ねじ２４が形成され、継手１２外周の雄ねじ２５に螺合されるようになっている。この固定用リング２３には複数の固定用孔２６が設けられ、それらの固定用孔２６に後述のビス２７を通して床板１４にねじ込むようになっている。気密用リング２８はゴム等の弾性材料で形成され、固定用リング２３と床板１４との間に介装され、床板１４に設けられた貫通孔１５から冷気が室内に入り込むことを防ぐことができるようになっている。この気密用リング２８には、前記固定用リング２３の固定用孔２６に対応するように複数の透孔２９が設けられている。
【００２３】
図２及び図４に示すように、前記固定用リング２３の緩みを防止するための締付ナット３０は、固定用リング２３上に配置され、そのめねじ３１が継手１２の雄ねじ２５に螺合されるようになっている。この締付ナット３０及び前記固定用リング２３は左ねじになっており、施工治具１０の雄ねじ部１７の右ねじに対して逆に構成され、締付ナット３０や固定用リング２３を締付けるときに継手１２の雌ねじ部１６に対する施工治具１０の雄ねじ部１７の螺合状態が緩まないようになっている。
【００２４】
図２に示すように、前記継手１２（ワンプッシュ式継手）について説明すると、継手本体３２の一端側の内側にはパイプ１３が挿入されるパイプ挿入孔３３が形成されるとともに、他端側には前記雌ねじ部１６が形成されている。前記パイプ挿入孔３３には、一対の第１シールリング３４が嵌着されるリング溝３５が形成され、これら第１シールリング３４によってパイプ挿入孔３３に挿入されるパイプ１３の外周面と継手本体３２の内周面との間の水密性が保たれるようになっている。
【００２５】
これらのリング溝３５よりも外端側の継手本体３２内には、パイプ１３を抜け止めする一対の抜け止めリング３６が保持リング３７を介して装着されている。これらの抜け止めリング３６の内周部には、内端側へ傾斜して延びる複数の抜け止め片３８が突設され、継手本体３２内に挿入されたパイプ１３の外周部に食い込んでパイプ１３が抜け止め保持される。なお、パイプ１３の端部には金属製のインコア３９が装着され、パイプ１３の挿入を円滑に行うことができるようになっている。
【００２６】
継手本体３２の外端部にはキャップ４０が螺合され、前記抜け止めリング３６を継手本体３２とキャップ４０との間で保持するようになっている。継手本体３２の内周部とキャップ４０の外周部との間には第２シールリング４１が装着されている。
【００２７】
以上のように構成された第１実施形態における施工治具１０の作用を説明する。
さて、図５（ａ）に示すように、作業者は床板１４下方の地盤上において、パイプ１３の端部を継手１２に差し込んで接続した後、継手１２の雌ねじ部１６に施工治具１０の雄ねじ部１７を螺入して、施工治具１０を継手１２に連結する。
【００２８】
そして、この状態で水圧検査を行う。すなわち、パイプ１３内に０．７５〜１．７５ＭＰａの範囲で所定の水圧（検査圧力）を加える。検査圧力に達してから、圧力降下を６０分間観察し合否判定を行う。このとき、施工治具１０の雄ねじ部１７にはシール部材２２が装着され、雄ねじ部１７を継手１２の雌ねじ部１６に締付けたとき、シール部材２２は施工治具１０のフランジ１８と継手１２の端面との間に介在され、施工治具１０のフランジ１８と継手１２の端面との間が水密に保持されていることから、水圧検査を円滑に進めることができる。
【００２９】
続いて、図５（ｂ）に示すように、この水圧検査で漏れがないことを確認した後、施工治具１０の治具本体１１の鉤部１９側を床板１４の貫通孔１５に向けて、下から上へ挿通させる。そして、治具本体１１を少し下ろすようにして、鉤部１９の先端部の係止部２０を床板１４上に載せて係止させる。このとき、施工治具１０の係止部２０は、継手１２やパイプ１３の質量で床板１４に強く押圧されていることから、施工治具１０の移動が抑えられている。そのため、作業者は床板１４上へ移動し、次の作業を安心して進めることができる。
【００３０】
次いで、図５（ｃ）に示すように、作業者は床板１４上へ移動し、そこで作業者は鉤部１９を把持して継手１２をパイプ１３とともに引き上げる。
図５（ｃ），（ｄ）に示すように、気密用リング２８、固定用リング２３及び締付ナット３０をその順に、施工治具１０の鉤部１９側から嵌挿する。
【００３１】
次いで、図５（ｅ）に示すように、固定用リング２３の雌ねじ２４を継手１２の雄ねじ２５に螺合した後、締付ナット３０のめねじ３１を継手１２の雄ねじ２５に螺合して締付ける。その後、複数のビス２７を固定用リング２３の複数の固定用孔２６及び気密用リング２８の複数の透孔２９に順に通して床板１４にねじ込むことにより、継手１２を床板１４に固定することができる。
【００３２】
以上の第１実施形態によって発揮される効果について、以下にまとめて記載する。
（１）この第１実施形態における施工治具１０は、治具本体１１と、その一端側の雄ねじ部１７と、他端側の係止部２０とを備えている。そして、パイプ１３が接続された継手１２を床板１４に取付ける場合には、治具本体１１を継手１２に連結し、治具本体１１を床板１４の貫通孔１５に挿通した後、治具本体１１の係止部２０を床板１４に係止させることができる。
【００３３】
このため、治具本体１１に引き戻す力が働いても、治具本体１１が床板１４の貫通孔１５から落ちて元の状態へ戻ることが抑制される。その後、作業者は床板１４上へ移り、そこで継手１２を床板１４に固定することができる。従って、一人の作業者は、パイプ１３が接続された継手１２を床板１４に取付ける作業を迅速に進めることができる。
【００３４】
よって、第１実施形態の施工治具１０によれば、一人の作業者が継手１２を床板１４に容易かつ的確に、しかも速やかに取付けることができるという効果を奏する。
（２）前記連結部は、継手１２の雌ねじ部１６に螺合される螺合部としての雄ねじ部１７である。このため、治具本体１１の一端部を継手１２に対して強固に連結することができる。
（３）前記係止部２０は、治具本体１１の他端部に形成された鉤部１９の先端部に設けられている。そのため、床板１４の下方で治具本体１１の鉤部１９を貫通孔１５に挿通し、床板１４上に簡単に係止することができ、作業を迅速に進めることができる。
（４）前記治具本体１１には、雄ねじ部１７を継手１２の雌ねじ部１６に連結するための工具を取付ける工具取付孔２１が設けられている。従って、工具を使用して、継手１２の雌ねじ部１６に対して治具本体１１の雄ねじ部１７を十分に締付け固定することができる。
【００３５】
また、通常、締付ナット３０を継手１２に対して締付ける際には、継手１２と締付ナット３０の六角部に工具を掛けて締付けるが、継手１２を貫通孔１５より十分に引っ張り出すことができず、継手１２を工具でつかめない場合がある。
【００３６】
このような場合には、前記工具取付孔２１に工具を挿通することで、継手１２に工具を掛けるのと同様の効果を得ることができ、締付ナット３０を継手１２に対して十分に締付けることができる。
（５）前記雄ねじ部１７にはシール部材２２が装着され、パイプ１３が接続された継手１２に治具本体１１が連結された状態で水圧検査が可能に構成されている。このため、パイプ１３が接続された継手１２に治具本体１１を連結することにより、水圧試験を簡単に行うことができる。
（第２実施形態）
次に、本発明の第２実施形態を図６及び図７に基づいて説明する。なお、この第２実施形態では、主に前記第１実施形態と相違する部分について説明し、同一部分については説明を省略する。
【００３７】
図６（ａ），（ｂ）に示すように、第２実施形態の施工治具１０の治具本体１１は棒状に形成されるとともに、その一端部には連結部としての雄ねじ部１７がフランジ１８を介して突設されている。一方、治具本体１１の他端部には、左右一対の開閉可能部４３が正面山形状に形成され、各開閉可能部４３の先端部に係止部２０が設けられている。開閉可能部４３は、熱可塑性樹脂、ゴム状物質、ばね性を有する金属等によって形成された治具本体１１の可撓性に基づいて開閉可能に構成されている。そして、開閉可能部４３が閉じた状態で床板１４の貫通孔１５に挿通され、挿通後に開閉可能部４３が開いて各係止部２０が床板１４に係止されるようになっている。また、治具本体１１の基端側には工具取付孔２１が開口されている。
【００３８】
さて、パイプ１３が接続された継手１２を床板１４に取付ける場合には、図７（ａ）に示すように、作業者は床板１４の下方の地盤上において、パイプ１３を継手１２に接続した後、継手１２の雌ねじ部１６に施工治具１０の雄ねじ部１７を螺入して、施工治具１０を継手１２に連結する。
【００３９】
続いて、図７（ｂ）に示すように、治具本体１１の開閉可能部４３側を床板１４の貫通孔１５に向けて、下から上へ挿通させる。そして、図７（ｃ）に示すように、開閉可能部４３が床板１４の貫通孔１５を抜けると貫通孔１５の直径より大きくなるように開き、その状態で治具本体１１を少し下ろすようにして、開閉可能部４３の先端部の係止部２０を床板１４上に載せて係止させる。
【００４０】
次いで、図７（ｄ）に示すように、作業者は床板１４上へ移動し、そこで作業者は治具本体１１を把持して継手１２をパイプ１３とともに引き上げる。このとき、開閉可能部４３が開いた状態の幅は床板１４の貫通孔１５の直径より長いことから、施工治具１０が貫通孔１５から下へ落ちることがない。そのため、作業者は床板１４上へ移動し、次の作業を安心して進めることができる。
【００４１】
その後、図７（ｅ）に示すように、気密用リング２８、固定用リング２３及び締付ナット３０をその順に、施工治具１０の開閉可能部４３側から嵌挿する。次いで、固定用リング２３の雌ねじ２４を継手１２の雄ねじ２５に螺合した後、締付ナット３０のめねじ３１を継手１２の雄ねじ２５に螺合して締付ける。
【００４２】
その後、図７（ｆ）に示すように、複数のビス２７を固定用リング２３の複数の固定用孔２６及び気密用リング２８の複数の透孔２９に順に通して床板１４にねじ込むことにより、継手１２を床板１４に取付けることができる。
【００４３】
従って、この第２実施形態によれば、施工治具１０の開閉可能部４３を床板１４の貫通孔１５に通した後には開閉可能部４３が自動的に開き、床板１４に対する開閉可能部４３先端の係止部２０の係止を一層簡単に行うことができ、施工治具１０による継手１２の取付作業を一層速やかに行うことができる。
（第３実施形態）
次に、本発明の第３実施形態を図８及び図９に基づいて説明する。なお、この第３実施形態においても、主に前記第１実施形態と相違する部分について説明し、同一部分については説明を省略する。
【００４４】
この第３実施形態では、施工治具１０は第１実施形態と同じであるが、その施工治具１０が連結される継手１２がエルボ継手１２ａである点で、第１実施形態と相違する。すなわち、エルボ継手１２ａは継手本体３２がＬ字状に形成され、施工治具１０の雄ねじ部１７に連結される側とパイプ１３が接続される側とが直交方向に延びている。
【００４５】
さて、図９（ａ）に示すように、作業者は床板１４の下方で、パイプ１３の端部をエルボ継手１２ａに接続した後、エルボ継手１２ａの雌ねじ部１６に施工治具１０の雄ねじ部１７を螺合して、施工治具１０をエルボ継手１２ａに連結する。
【００４６】
続いて、図９（ｂ）に示すように、治具本体１１の鉤部１９側を床板１４の貫通孔１５に向けて、貫通孔１５を下から上へ挿通させる。
次いで、図９（ｃ）に示すように、治具本体１１を少し下ろすようにして、鉤部１９先端部の係止部２０を床板１４上に係止させる。
【００４７】
図９（ｄ）に示すように、作業者は床板１４上へ移動し、鉤部１９を把持してエルボ継手１２ａをパイプ１３とともに引き上げる。このとき、エルボ継手１２ａはＬ字状に形成されていることから、エルボ継手１２ａのパイプ１３接続側が床板１４の下面に係合し、エルボ継手１２ａの雌ねじ部１６側をそれ以上引き上げることができなくなる。しかしながら、施工治具１０の鉤部１９を持ち上げるようにし把持することにより、その状態を容易に保持することができる。そして、その状態で、治具本体１１に気密用リング２８及び固定用リング２３をその順に、鉤部１９側から嵌挿する。
【００４８】
図９（ｅ）に示すように、固定用リング２３の雌ねじ２４をエルボ継手１２ａの雄ねじ２５に螺合した後、治具本体１１に締付ナット３０を嵌挿する。
次いで、図９（ｆ）に示すように、締付ナット３０のめねじ３１をエルボ継手１２ａの雄ねじ２５に螺合して締付ける。その後、複数のビス２７を固定用リング２３の複数の固定用孔２６及び気密用リング２８の複数の透孔２９に順に通して床板１４にねじ込むことにより、エルボ継手１２ａを床板１４に取付けることができる。
【００４９】
従って、この第３実施形態によれば、パイプ１３が接続される継手がエルボ継手１２ａで、そのエルボ継手１２ａを床板１４の貫通孔１５から十分に引き上げることができない場合でも、本実施形態の施工治具１０を用いることにより、床板１４にエルボ継手１２ａを固定する一人作業を容易かつ迅速に進めることができる。そして、エルボ継手１２ａを使用することによって床板１４と地盤との間が狭くなっても、パイプ１３の敷設作業を円滑に進めることができ、本施工治具１０は極めて有用である。
【００５０】
なお、前記各実施形態は、次のように変更して具体化することも可能である。
・  前記第１実施形態において、シール部材２２に代えて、施工治具１０の雄ねじ部１７にシールテープを巻き付けてもよい。この場合であっても、施工治具１０の雄ねじ部１７と継手１２の雌ねじ部１６との間が水密に保持され、水圧検査を円滑に行うことができる。
【００５１】
・  前記第２実施形態の施工治具１０を第３実施形態のエルボ継手１２ａに連結して使用してもよい。
・  前記第２実施形態において、施工治具１０の開閉可能部４３は必ずしも一体的な構造でなくともよく、例えば別々の部材を蝶番で連結し、それら部材の間にねじりばねを設ける等して開閉可能としてもよい。
【００５２】
・  前記第３実施形態において、エルボ継手１２ａは４５度等の方向に延びる構造のものであってもよい。
・  前記第３実施形態において、エルボ継手１２ａの代わりにチーズ継手等を用いてもよい。
【００５３】
・  前記支持部材としては、床板１４のほか、建物の天井、壁等であってもよい。
・  前記水圧検査を、床板１４の下方において、治具本体１１を床板１４の貫通孔１５に挿通する前に実施してもよい。
【００５４】
・  前記施工治具１０の鉤部１９先端の係止部２０に、ゴム、熱可塑性エラストマー等による滑り止め部を設けてもよい。この場合、床板１４面に対する係止部２０の滑りを防止して、床板１４に対する施工治具１０の移動を規制することができる。
【００５５】
・  前記治具本体１１の連結部として、クランプ、クリップ等を用いて連結する構成を採用してもよい。
・  前記工具取付部を、治具本体１１に設けられる凹部、凸部等で構成してもよい。
【符号の説明】
【００５６】
１０…施工治具、１１…治具本体、１２…継手、１２ａ…エルボ継手、１３…パイプ、１４…支持部材としての床板、１５…貫通孔、１６…ねじとしての雌ねじ部、１７…連結部としての雄ねじ部、１９…鉤部、２０…係止部、４３…開閉可能部、２２…シール部材。
【図１】
2014163488.tif 000003
【図２】
2014163488.tif 000004
【図３】
2014163488.tif 000005
【図４】
2014163488.tif 000006
【図５】
2014163488.tif 000007
【図６】
2014163488.tif 000008
【図７】
2014163488.tif 000009
【図８】
2014163488.tif 000010
【図９】
2014163488.tif 000011